(57)【要約】【課題】識別情報を記憶した記録媒体の所持者が共連れにより入室制限区画に入室することを抑制でき、共連れにより入室した記録媒体の所持者が入室制限区画内に閉じ込められることを防止できる退室管理システムを提供すること。【解決手段】データセンタ50の処理装置52において、入室履歴更新部52aはカードリーダ10で読み取られた認証コード（識別情報）での入室の履歴を残し、その認証コードがカードリーダ20で読み取られたことに基づき、その入室の履歴を削除し、共連れ入室回数計数部52bは、その認証コードでの入室の履歴が残っていない状態においてカードリーダ20でその認証コードが読み取られた回数（共連れ入室回数）を計数し、共連れ入室回数判定部52cは共連れ入室回数が上限回数に達したか否かを判定し、共連れ入室回数が上限回数に達した場合に限り、電気錠4の解錠後に失効処理部５２ｅは認証コードを失効させる。【選択図】図１
2015135600.tif 000002
【特許請求の範囲】
【請求項１】
入室が制限された区画の出入口に設けられたドアを施錠する電気錠と、
この電気錠の解錠と施錠を制御する電気錠制御装置と、
前記電気錠の解除に必要な識別情報を記憶した記憶媒体と、
前記出入口を通って前記区画に入室するための前記電気錠の解錠の際に前記記憶媒体から識別情報を読み取る入室用読取装置と、
前記出入口を通って前記区画から退室するための前記電気錠の解錠の際に前記記憶媒体から前記識別情報を読み取る退室用読取装置と、
前記入室用読取装置により前記記憶媒体から読み取られた前記識別情報、および、前記退室用読取装置により前記記憶媒体から読み取られた前記識別情報に基づき、前記電気錠制御装置に前記電気錠を解錠させる処理を行う処理装置と
を備える入退室管理システムにおいて、
前記処理装置は、
前記入室用読取装置により前記識別情報が読み取られたことに基づいて前記識別情報による入室の履歴を残し、前記退室用読取装置により前記識別情報が読み取られたことに基づいて前記識別情報による入室の履歴を削除する入室履歴更新部と、
前記識別情報による入室の履歴が残っていない状態において前記退室用読取装置により前記識別情報が読み取られた回数である共連れ入室回数を計数する共連れ入室回数計数部と、
前記共連れ入室回数が予め設定された複数回である上限回数に達したか否かを判定する共連れ入室回数判定部と、
前記共連れ入室回数が前記上限回数に達したと前記共連れ入室回数判定部により判定された場合に限って、前記電気錠の解錠後に、前記識別情報を失効させる失効処理部と
を備えることを特徴とする入退室管理システム。
【請求項２】
請求項１に記載の入退室管理システムにおいて、
前記退室用読取装置は、前記記憶媒体の使用者の視覚および聴覚の少なくとも一方に刺激を与える報知装置と、この報知装置を制御する制御装置とを備え、
前記制御装置は、前記共連れ入室回数が０回であることに予め対応付けられた報知パターンでの報知を前記報知装置に行わせ、前記共連れ入室回数が１回以上であることに予め対応付けられた報知パターンでの報知を前記報知装置に行わせる
ことを特徴とする入退室管理システム。
【請求項３】
請求項１または２に記載の入退室管理システムにおいて、
前記記憶媒体の管理者に扱われる情報端末と、この情報端末との通信が可能な通信装置とを備え、
前記処理装置は、前記失効処理部により前記識別情報が失効された旨を、前記情報端末を送信先として前記通信装置に送信させる失効通知処理部を備える
ことを特徴とする入退室管理システム。
【発明の詳細な説明】
【技術分野】
【０００１】
本発明は、防犯上の理由で入室が制限された区画（以下適宜「入室制限区画」という）に対する人の入退室を管理する入退室管理システムであって、その区画の出入口に設けられたドアの施錠を電気錠で行い、この電子錠を解錠させるために、記憶媒体に記憶された識別情報を読取装置に読み込ませることを必要とする入退室管理システムに関する。
【背景技術】
【０００２】
従来、入退室管理システムは、記憶媒体（ＩＣカード等）に記憶された識別情報を読取装置で読み取り、その記憶媒体の所持者の入室制限区画に対する入室または退室に時系列的な矛盾があるか否か、すなわち入室または退室が共連れにより行われたか否かのチェックを行い、矛盾が無い場合には電気錠の解錠を行い、矛盾がある場合にはその識別情報に基づく電気錠の解錠を禁止する。電気錠の解錠が禁止された場合、禁止を解除するためには所定の手続きが必要になる。この種の入退室管理システムについては、例えば特許文献１を参照されたい。
【先行技術文献】
【特許文献】
【０００３】
【特許文献１】特開２００７−２４７１４１号公報
【発明の概要】
【発明が解決しようとする課題】
【０００４】
従来の入退室管理システムは、識別情報を記憶した記憶媒体の所持者であっても、記憶媒体に記憶された識別情報を読取装置に読み取らせることなく共連れにより入室制限区画に入室した後に、記憶媒体に記憶された識別情報を読取装置に読み取らせて退室しようとした場合には、その共連れに悪意がなかったとしても、電気錠の解錠が禁止されるため、退室できなくなる。その所持者は、退室するために所定の手続きを行う必要があるので、入室制限区画内に一時的に閉じ込められることになる。
【０００５】
本発明は前述の事情を考慮してなされたものであり、その目的は、識別情報を記憶した記録媒体の所持者が共連れにより入室制限区画に入室することを抑制でき、共連れにより入室した記録媒体の所持者が入室制限区画内に閉じ込められることを防止できる退室管理システムを提供することにある。
【課題を解決するための手段】
【０００６】
前述の目的を達成するために本発明に係る入退室管理システムは、入室が制限された区画の出入口に設けられたドアを施錠する電気錠と、この電気錠の解錠と施錠を制御する電気錠制御装置と、前記電気錠の解除に必要な識別情報を記憶した記憶媒体と、前記出入口を通って前記区画に入室するための前記電気錠の解錠の際に前記記憶媒体から識別情報を読み取る入室用読取装置と、前記出入口を通って前記区画から退室するための前記電気錠の解錠の際に前記記憶媒体から前記識別情報を読み取る退室用読取装置と、前記入室用読取装置により前記記憶媒体から読み取られた前記識別情報、および、前記退室用読取装置により前記記憶媒体から読み取られた前記識別情報に基づき、前記電気錠制御装置に前記電気錠を解錠させる処理を行う処理装置とを備える入退室管理システムにおいて、前記処理装置は、前記入室用読取装置により前記識別情報が読み取られたことに基づいて前記識別情報による入室の履歴を残し、前記退室用読取装置により前記識別情報が読み取られたことに基づいて前記識別情報による入室の履歴を削除する入室履歴更新部と、前記識別情報による入室の履歴が残っていない状態において前記退室用読取装置により前記識別情報が読み取られた回数である共連れ入室回数を計数する共連れ入室回数計数部と、前記共連れ入室回数が予め設定された複数回である上限回数に達したか否かを判定する共連れ入室回数判定部と、前記共連れ入室回数が前記上限回数に達したと前記共連れ入室回数判定部により判定された場合に限って、前記電気錠の解錠後に、前記識別情報を失効させる失効処理部とを備えることを特徴とする。
【発明の効果】
【０００７】
本発明に係る入退室管理システムは、共連れ入室回数が上限回数に達したか否かを判定し、その共連れ入室回数が上限回数に達したと判定した場合に限って、電気錠の解錠後に、その共連れ入室回数に係る識別情報を失効させる。これにより、本発明に係る入退室管理システムは、記録媒体の所持者が共連れにより入室制限区画に入室することを抑制しつつ、共連れにより入室した記録媒体の所持者が入室制限区画内に閉じ込められることを防止できる。
【図面の簡単な説明】
【０００８】
【図１】本発明の一実施形態に係る入退室管理システムのブロック図である。
【図２】図１に示したカード使用者情報テーブルの具体例を示す図である。
【図３】図１に示した入退室管理システムにより行われる処理の流れを示すフローチャートである。
【発明を実施するための形態】
【０００９】
本発明の一実施形態に係る入退室管理システムについて図１〜図３を用いて説明する。
【００１０】
図１に示すように、本実施形態に係る入退室管理システムは、入室が制限された区画である入室制限区画１の出入口２に設けられたドア３を施錠する電気錠４と、この電気錠４の解錠と施錠を制御する電気錠制御装置３０と、電気錠４の解錠に必要な認証コード（識別情報）を記憶した複数の非接触式ＩＣカード８１〜８４等（記憶媒体）と、出入口２を通って入室制限区画１に入室するための電気錠４の解錠の際にＩＣカード８１〜８４等から認証コードＡ１２０１〜Ａ１２０４等を読み取る入室用カードリーダ１０（入室用読取装置）と、出入口２を通って入室制限区画１から退室するための電気錠４の解錠の際にＩＣカード８１〜８４等から認証コードＡ１２０１〜Ａ１２０４等を読み取る退室用カードリーダ２０（退室用読取装置）と、入室用カードリーダ１０によりＩＣカード８１〜８４等から読み取られた認証コードＡ１２０１〜Ａ１２０４等、および、退室用カードリーダ２０によりＩＣカード８１〜８４等から読み取られた認証コードＡ１２０１〜Ａ１２０４等に基づき、電気錠制御装置３０に電気錠４を解錠させる処理を行うデータセンタ５０と、ＩＣカード８１〜８４等のそれぞれの使用者により扱われる情報端末６１〜６４と、ＩＣカード８１〜８４等のそれぞれの管理者により扱われる情報端末７１〜７４とを備える。
【００１１】
入室用カードリーダ１０は、ＩＣカード８１〜８４等がかざされるアンテナコイル１４と、ＩＣカード８１〜８４等の使用者の視覚および聴覚の少なくとも一方に刺激を与える報知装置１５と、この報知装置１５での報知パターンを記憶した記憶装置１３と、電気錠制御装置３０と通信を行う通信装置１１と、ＣＰＵ、ＲＯＭおよびＲＡＭを備え、報知装置１５と通信装置１１を制御する制御装置１２と備える。報知装置１５は、ＩＣカード８１〜８４等の使用者の視覚に刺激を与える表示部であるＬＥＤ表示灯１５ａと、ＩＣカード８１〜８４等の使用者の聴覚に刺激を与える音出力部であるスピーカ１５ｂとを備える。
【００１２】
退室用カードリーダ２０は、ＩＣカード８１〜８４等がかざされるアンテナコイル２４と、ＩＣカード８１〜８４等の使用者の視覚および聴覚の少なくとも一方に刺激を与える報知装置２５と、この報知装置２５での報知パターンを記憶した記憶装置２３と、電気錠制御装置３０と通信を行う通信装置２１と、報知装置２５と通信装置２１を制御する制御装置２２とを備える。報知装置２５は、ＩＣカード８１〜８４等の使用者の視覚に刺激を与える表示部であるＬＥＤ表示灯２５ａと、ＩＣカード８１〜８４等の使用者の聴覚に刺激を与える音出力部であるスピーカ２５ｂとを備える。
【００１３】
退室用カードリーダ２０の記憶装置２３には、ＬＥＤ表示灯２５ａとスピーカ２５ｂとによる報知パターンとして、正しい方法での入室に対応付けられた第１報知パターンと、共連れ入室回数が１回以上で上限回数（例えば３回）未満であることに対応付けられた第２報知パターンと、共連れ入室回数が上限回数（３回）に達したことに対応付けられた第３報知パターンが予め記憶されている。第１報知パターンは例えば、ＬＥＤ表示灯２５ａの緑色での点灯と、「ピー」という音とから構成される。第２報知パターンは例えば、ＬＥＤ表示灯２５ａの赤色での点灯と、「ブー」という音とから構成される。第３報知パターンは、ＬＥＤ表示灯２５ａの赤色での点滅と、「ブッブー」という音とから構成される。
【００１４】
電気錠制御装置３０は、入室用カードリーダ１０、退室用カードリーダ２０およびデータセンタ５０と通信を行う通信装置３１と、この通信装置３１の制御に係る処理および電気錠４の制御に係る処理を行う処理装置３２とを備える。処理装置３２は、ＣＰＵ、ＲＯＭおよびＲＡＭを備え、制御プログラムにより設定された機能部として、電気錠制御処理部３２ａと、報知指令部３２ｂと、中継処理部３２ｃとを備える。電気錠制御処理部３２ａは、電気錠４の解錠および施錠を行うものであるとともに、電気錠４の状態の通知をデータセンタ５０を通知先として通信装置３１に行わせるものある。報知指令部３２ｂは、入室用カードリーダ１０への報知パターンの指令、および、退室用カードリーダ２０への報知パターンの指令を通信装置３１に送信させるものである。中継処理部３２ｃは、入室用カードリーダ１０の通信装置１１および退室用カードリーダ２０の通信装置２１から送信されてくる認証コードＡ１２０１〜Ａ１２０４等を、データセンタ５０を送信先として通信装置３１に送信させるものである。なお、電気錠制御装置３０の通信装置３１とデータセンタ５０の通信装置５１との間の通信は広域通信網４０を介して行われ、電気錠制御装置３０の通信装置３１と入室用カードリーダ１０の通信装置１１および退室用カードリーダ２０の通信装置２１のそれぞれとの間の通信は構内通信網を介して行われる。
【００１５】
データセンタ５０は、通信装置５１と、処理装置５２と、記憶装置５３とを備える。通信装置５１は、電気錠制御装置３０と通信を行うものである。処理装置５２は、通信装置５１の制御に係る処理、および、入室用カードリーダ１０から電気錠制御装置３０を介して送信されてくる認証コード、退室用カードリーダ２０から電気錠制御装置３０を介して送信されてくる認証コード、電気錠制御装置３０から通知されてくる電気錠の状態に基づいて、予め設定された処理（後述）を行うものである。記憶装置５３は、認証コードＡ１２０１〜Ａ１２０４等に係る情報を図２に示すカード使用者情報テーブル５３ａの形で記憶するものである。
【００１６】
データセンタ５０の処理装置５２は、詳細にはＣＰＵ、ＲＯＭ、ＲＡＭを備え、制御プログラムに従って処理を行うものであり、制御プログラムにより設定された機能部として、入室履歴更新部５２ａ、共連れ入室回数計数部５２ｂ、共連れ入室回数判定部５２ｃ、失効処理部５２ｄおよび失効通知処理部５２ｅとを備える。
【００１７】
入室履歴更新部５２ａは、入室用カードリーダ１０によりＩＣカード８１〜８４等から認証コードＡ１２０１〜Ａ１２０４等が読み取られたことに基づいて、その認証コードによる入室の履歴を残し、退室用カードリーダ２０によりＩＣカード８１〜８４等から認証コードＡ１２０１〜Ａ１２０４等が読み取られたことに基づいて、その認証コードによる入室の履歴を削除するものである。認証コードＡ１２０１〜Ａ１２０４等による入室の履歴が残っているか否かは、カード使用者情報テーブル５３ａにおいて、入室フラグの値の形で記録される。入室フラグの値が「０」であることは入室の履歴が残っていないことを示し、入室フラグの値が「１」であることは入室の履歴が残っていることを示す。例えば図２において、認証コードＡ１２０１に対応付けられた入室フラグの値は「０」であるから、認証コードＡ１２０１による入室の履歴は残っていないことになる。また、例えば同図２において、認証コードＡ１２０２に対応付けられた入室フラグの値は「１」であるから、認証コードＡ１２０２による入室の履歴は残っていることになる。
【００１８】
共連れ入室回数計数部５２ｂは、認証コードＡ１２０１〜Ａ１２０４等のそれぞれに関し、その認証コードによる入室の履歴が残っていない状態（入室フラグの値が「０」の状態）において退室用カードリーダ２０によりその認証コードが読み取られた回数（以下「共連れ入室回数」という）を計数するものである。ここで、共連れ入室回数とは、共連れにより入室制限区画１に入室した回数を意味する。共連れによる入室制限区画１への入室は、例えば、ＩＣカード８２の所持者が入室用カードリーダ１０に認証コードＡ１２０２を読み取らせて電気錠４を解錠した後、ＩＣカード８３の所持者が入室用カードリーダ１０に認証コードＡ１２０３を読み取らせることなく、ＩＣカード８２の所持者による電気錠４の解錠を利用して入室制限区画１に入室してしまう、という不正な入室のことである。
【００１９】
共連れ入室回数判定部５２ｃは、共連れ入室回数が予め設定された複数回である上限回数（３回）に達したか否かを判定するものである。
【００２０】
失効処理部５２ｄは、共連れ入室回数が上限回数（３回）に達したと共連れ入室回数判定部５２ｃにより判定された場合に限って、電気錠４の解錠後であって電気錠４の施錠後に、上限回数に達した共連れ入室回数に係る認証コードを失効させるものである。認証コードＡ１２０１〜Ａ１２０４等のそれぞれに関し、その認証コードが失効しているか否かは、カード使用者情報テーブル５３ａにおいて認証コード失効フラグの値で記録される。認証コード失効フラグの値が「０」であることは、認証コードが有効であること（失効されていないこと）を意味する。認証コード失効フラグの値が「１」であることは、認証コードが失効したことを意味する
失効通知処理部５２ｅは、失効処理部５２ｄにより認証コードＡ１２０１〜Ａ１２０４等が失効された旨の電子メールを、その認証コードを記憶したＩＣカードの使用者により扱われる情報端末６１〜６４等と、そのＩＣカードの管理者により扱われる情報端末７１〜７４等とを送信先として、通信装置５１に広域通信網４０を介して送信させるものである。なお、図２に示すカード使用者情報テーブル５３ａにおいて、認証コードＡ１２０１〜Ａ１２０４等のそれぞれには、ＩＣカード８１〜８４等のそれぞれの使用者として登録された者の氏名（「◎○◎○」、「△○△○」、「○□○□」、「○▽○▽」等）と、各使用者の電子メールアドレス（「◎○@○○○.co.jp」、「△○@△△△.co.jp」、「○□@□□□.co.jp」、「○▽@×××.co.jp」等）と、ＩＣカード８１〜８４等のそれぞれの管理者として登録された者の氏名（「○×○×」、「×□×□」、「△×△×」、「×▽×▽」等）と、各管理者の電子メールアドレス（「○×@◇◇◇.co.jp」、「×□@☆☆☆.co.jp」、「△×@◎◎◎.co.jp」、「×▽@▽▽▽.co.jp」等）とが予め対応付けられている。
【００２１】
このように構成された本実施形態に係る入退室管理システムは、ＩＣカード８１〜８４等を所持する者が入室制限区画１から退室する際に、図３に示す退室処理を行う。
【００２２】
退室用カードリーダ２０の制御装置２２が、アンテナコイル２４にかざされたＩＣカード８１〜８４等のいずれか１枚から認証コードＡ１２０１〜Ａ１２０４等のいずれか１つを読み取ったことを契機に、本実施形態に係る入退室管理システムは退室処理を開始する（ＳＴＡＲＴ）。
【００２３】
はじめに、退室用カードリーダ２０において、制御装置２２は、今回読み取った認証コード（以下適宜「今回の認証コード」という）を、通信装置２１から電気錠制御装置３０の通信装置３１に送信する（ステップＳ１）。
【００２４】
次に、電気錠制御装置３０において、処理装置３２の中継処理部３２ｃは、退室用カードリーダ２０の通信装置２１から通信装置３１に送信されてきた今回の認証コードを、データセンタ５０の通信装置５１を送信先として通信装置３１に送信させる（ステップＳ２）。
【００２５】
次に、データセンタ５０において、処理装置５２の入室履歴更新部５２ａは、退室用カードリーダ２０から電気錠制御装置３０を介してデータセンタ５０に送信されてきた今回の認証コードに基づいてカード使用者情報テーブル５３ａを参照し、今回の認証コードに対応付けられた入室フラグの値が「１」であるか否かを確認する（ステップＳ３）。
【００２６】
データセンタ５０に送信されてきた今回の認証コードが例えば「Ａ１２０２」である場合、カード使用者情報テーブル５３ａにおいて、今回の認証コードＡ１２０２に対応付けられた入室フラグの値は「１」であり、今回の認証コードＡ１２０２による入室の履歴が残っていることになる。これにより、今回の認証コードＡ１２０２を記憶したＩＣカード８２の使用者は、入室用カードリーダ１０に今回の認証コードＡ１２０２を読み取らせて電気錠４を解錠させた者、すなわち、入室制限区画１に正しい方法で入室した者、と判定されたことになる。
【００２７】
これに対し、今回の認証コードが例えば「Ａ１２０４」である場合、カード使用者情報テーブル５３ａにおいて、今回の認証コードＡ１２０４に対応付けられた入室フラグの値は「０」であり、今回の認証コードＡ１２０４による入室の履歴が残っていないことになる。これにより、今回の認証コードＡ１２０４を記憶したＩＣカード８４の使用者は、入室用カードリーダ１０に今回の認証コードＡ１２０４を読み取らせることなく、入室制限区画１に共連れにより入室した者である、と判定されたことになる。
【００２８】
ステップＳ３において入室フラグの値が「１」であることが確認された場合（ステップＳ３でＹＥＳの場合）、データセンタ５０において、処理装置５２の入室履歴更新部５２ａは、入室の履歴が残っている旨、および、電気錠４の解錠の指令を、電気錠制御装置３０の通信装置３１を送信先として、通信装置５１に送信させる（ステップＳ４）。
【００２９】
次に、入室履歴更新部５２ａは、入室フラグの値を「０」に書き換える（ステップＳ５）。
【００３０】
次に、電気錠制御装置３０において報知指令部３２ｂは、ステップＳ３において入室フラグの値が「１」であったことに基づき、第１報知パターンでの報知の指令を、退室用カードリーダ２０の通信装置２１を送信先として、通信装置３１に送信させる（ステップＳ６）。
【００３１】
次に、退室用カードリーダ２０の制御装置２２は、第１報知パターンでの報知を実行する（ステップＳ７）。
【００３２】
電気錠制御装置３０において、電気錠制御処理部３２ａは、第１報知パターンでの報知の指令の送信時点から予め設定された時間が経過したか否かの判定を行うことによって、第１報知パターンでの報知が終了したか否かの判定を行う（ステップＳ８）。ここで、予め設定された時間とは、第１報知パターンでの報知の指令の送信時点から第１報知パターンでの報知が終了するまでに掛かる時間を意図して設定されたものである。
【００３３】
電気錠制御装置３０において、電気錠制御処理部３２ａは、第１報知パターンでの報知が終了したと判定すると（ステップＳ８でＹＥＳ）、電気錠４の解錠を行い、その後、ドア３が閉じた状態で予め設定された時間が経過したときに電気錠４の施錠を行う（ステップＳ９）。
【００３４】
次に、電気錠制御処理部３２ａは、電気錠４の施錠完了の通知を、データセンタ５０の通信装置５１を通知先として、通信装置１１に行わせる（ステップＳ１０）。
【００３５】
次に、データセンタ５０において、共連れ入室回数判定部５２ｃは、カード使用者情報テーブル５３ａを参照して、今回の認証コードに対応付けられた共連れ入室回数が３回であるか否かの判定を行う（ステップＳ１１）。今回の認証コードが例えば「Ａ１２０２」である場合、カード使用者情報テーブル５３ａにおいて、今回の認証コードＡ１２０２に対応付けられた共連れ入室回数は１回であるから、共連れ入室回数判定部５２ｃは、共連れ入室回数が３回ではないと判定する（ステップＳ１１でＮＯ）。このようにステップＳ１１において共連れ入室回数が上限回数（３回）ではないと判定された場合（ステップＳ１１）、退室処理は終了する（ＥＮＤ）。なお、図３に示す退室処理は、ステップＳ３において入室フラグの値が「１」であることが確認された場合（ステップＳ３でＹＥＳの場合）、ステップＳ１１において共連れ入室回数が３回であると判定されることは起こり得ないように設定されている。
【００３６】
ステップＳ３において入室フラグの値が「１」でないこと、すなわち「０」であることが確認された場合（ステップＳ３でＮＯの場合）、データセンタ５０において、処理装置５２の共連れ入室回数計数部５２ｂは、カード使用者情報テーブル５３ａにおいて、今回の認証コードに対応付けられた共連れ入室回数の値に１を加算する（ステップＳ１２）。今回の認証コードが例えば「Ａ１２０４」である場合、カード使用者情報テーブル５３ａにおいて、今回の認証コードＡ１２０４に対応付けられた入室フラグの値は「０」であるから、共連れ入室回数の値に１が加算される。つまり、今回の認証コードＡ１２０４を記憶したＩＣカード８４の使用者が入室制限区画１への共連れによる入室を１回行ったことが、カード使用者情報テーブル５３ａに記録されたことになる。
【００３７】
ステップＳ１２の次に、データセンタ５０において、共連れ入室回数判定部５２ｃは、今回の認証コードに対応付けられた共連れ入室回数が上限回数（３回）であるか否かの判定を行う（ステップＳ１３）。この判定の結果、共連れ入室回数が上限回数（３回）未満であった場合、すなわち、共連れ入室回数が１回以上で上限回数（３回）未満であった場合（ステップＳ１３でＮＯの場合）、共連れ入室回数判定部５２ｃは、共連れ入室回数が１回以上で上限回数（３回）未満である旨、および、電気錠４の解錠の指令を、電気錠制御装置３０の通信装置３１を送信先として、通信装置５１に送信させる（ステップＳ１４）。
【００３８】
次に、電気錠制御装置３０において報知指令部３２ｂは、共連れ入室回数が１回以上で上限回数（３回）未満であることに基づき、第２報知パターンでの報知の指令を、退室用カードリーダ２０の通信装置２１を送信先として、通信装置３１に送信させる（ステップＳ１５）。
【００３９】
次に、退室用カードリーダ２０の制御装置２２は、第２報知パターンでの報知を実行する（ステップＳ１６）。
【００４０】
電気錠制御装置３０において、電気錠制御処理部３２ａは、第２報知パターンでの報知の指令の送信時点から予め設定された時間が経過したか否かの判定を行うことによって、第２報知パターンでの報知が終了したか否かの判定を行う（ステップＳ１７）。ここで、予め設定された時間とは、第２報知パターンでの報知の指令の送信時点から第２報知パターンでの報知が終了するまでに掛かる時間を意図して設定されたものである。
【００４１】
電気錠制御装置３０において、電気錠制御処理部３２ａは、第２報知パターンでの報知が終了したと判定すると（ステップＳ１７でＹＥＳ）、電気錠制御処理部３２ａは、電気錠４の解錠を行い、その後、ドア３が閉じた状態で予め設定された時間が経過したときに、電気錠４の施錠を行う（ステップＳ９）。
【００４２】
次に、電気錠制御処理部３２ａは、電気錠４の施錠完了の通知を、データセンタ５０の通信装置５１を通知先として、通信装置１１に行わせる（ステップＳ１０）。
【００４３】
次に、データセンタ５０において、共連れ入室回数判定部５２ｃは、カード使用者情報テーブル５３ａを参照して、今回の認証コードに対応付けられた共連れ入室回数が３回であるか否かの判定を行う（ステップＳ１１）。今回の認証コードが例えば「Ａ１２０４」である場合、カード使用者情報テーブル５３ａにおいて、今回の認証コードＡ１２０４に対応付けられた共連れ入室回数は１回であるから、共連れ入室回数判定部５２ｃは、共連れ入室回数が上限回数（３回）ではないと判定する（ステップＳ１１でＮＯ）。このようにステップＳ１１において共連れ入室回数が上限回数（３回）ではないと判定された場合（ステップＳ１１でＮＯの場合）には、退室処理は終了する（ＥＮＤ）。なお、図３に示す退室処理は、ステップＳ１３において共連れ入室回数が３回でなはないと判定された場合（ステップＳ１３でＮＯの場合）、ステップＳ１１において共連れ入室回数が３回であると判定されることは起こり得ないように設定されている。
【００４４】
ステップＳ１３において共連れ入室回数が上限回数（３回）であると判定された場合（ステップＳ１３でＹＥＳの場合）、例えば今回の認証コードが「Ａ１２０３」であり、カード使用者情報テーブル５３ａにおいて、今回の認証コードＡ１２０３に対応付けられた共連れ入室回数が３回である場合、共連れ入室回数判定部５２ｃは、共連れ入室回数が上限回数（３回）に達した旨、および、電気錠４の解錠の指令を、電気錠制御装置３０の通信装置３１を送信先として、通信装置５１に送信させる（ステップＳ１８）。
【００４５】
次に、電気錠制御装置３０において報知指令部３２ｂは、共連れ入室回数が上限回数（３回）に達したことに基づき、第３報知パターンでの報知の指令を、退室用カードリーダ２０の通信装置２１を送信先として、通信装置３１に送信させる（ステップＳ１９）。
【００４６】
次に、退室用カードリーダ２０の制御装置２２は、第３報知パターンでの報知を実行する（ステップＳ２０）。
【００４７】
電気錠制御装置３０において、電気錠制御処理部３２ａは、第３報知パターンでの報知の指令の送信時点から予め設定された時間が経過したか否かの判定を行うことによって、第３報知パターンでの報知が終了したか否かの判定を行う（ステップＳ２１）。ここで、予め設定された時間とは、第３報知パターンでの報知の指令の送信時点から第２報知パターンでの報知が終了するまでに掛かる時間を意図して設定されたものである。
【００４８】
電気錠制御装置３０において、電気錠制御処理部３２ａは、第３報知パターンでの報知が終了したと判定すると（ステップＳ２１でＹＥＳ）、電気錠制御処理部３２ａは、電気錠４の解錠を行い、その後、ドア３が閉じた状態で予め設定された時間が経過したときに電気錠４の施錠を行う（ステップＳ９）。
【００４９】
次に、電気錠制御処理部３２ａは、電気錠４の施錠完了の通知を、データセンタ５０の通信装置５１を通知先として、通信装置３１に行わせる（ステップＳ１０）。
【００５０】
次に、データセンタ５０において、共連れ入室回数判定部５２ｃは、カード使用者情報テーブル５３ａを参照して、今回の認証コードに対応付けられた共連れ入室回数が３回であるか否かの判定を行う（ステップＳ１１）。今回、共連れ入室回数判定部５２ｃは、共連れ入室回数が上限回数（３回）であると判定する（ステップＳ１１でＹＥＳ）。
【００５１】
このようにステップＳ１１において共連れ入室回数が上限回数（３回）であると判定された場合（ステップＳ１１でＹＥＳの場合）には、失効処理部５２ｄは、カード使用者情報テーブル５３ａにおいて今回の認証コードに対応付けられた認証コード失効フラグの」値を「１」に書き換える（ステップＳ２２）。これにより、今回の認証コードは失効する。
【００５２】
次に、失効通知処理部５２ｅは、カード使用者情報テーブル５３ａにおいて今回の認証コードに対応付けられた使用者の電子メールアドレスと、管理者の電子メールアドレスとに宛てて、今回の認証コードが失効した旨の電子メールを送信し（ステップＳ２３）、退室処理は終了する（ＥＮＤ）。
【００５３】
本実施形態に係る入退室管理システムは、次の効果を奏する。
【００５４】
本実施形態に係る入退室管理システムは、共連れ入室回数が上限回数に達したか否かを判定し、その共連れ入室回数が上限回数に達したと判定した場合に限って、電気錠４の解錠後に、その共連れ入室回数に係る認証コードを失効させる。これにより、ＩＣカード８１〜８４等の所持者が共連れにより入室制限区画１に入室することを抑制しつつ、共連れにより入室したＩＣカード８１〜８４等の所持者が入室制限区画１内に閉じ込められることを防止できる。
【００５５】
本実施形態に係る入室管理システムは、第１報知パターンでの報知を行うことにより、ＩＣカード８１〜８４等の使用者に正しい方法での入退室であることを報知できる。また、本実施形態に係る入退室管理システムは、第２報知パターンでの報知を行うことにより、共連れ入室回数が上限回数（３回）に達してはいない旨の報知と、今回の共連れによる入室が不正である旨の注意喚起とをＩＣカード８１〜８４等の使用者に対して行うことができる。また、本実施形態に係る入退室管理システムは、第３報知パターンでの報知により、共連れ入室回数が上限回数（３回）に達した旨の報知、すなわち認証コードが失効する旨の報知を、ＩＣカード８１〜８４等の使用者に対して行うことができる。
【００５６】
本実施形態に係る入退室管理システムは、ＩＣカード８１〜８４等の管理者に対して認証コードＡ１２０１〜Ａ１２０４等が失効した旨を通知することによっても、ＩＣカード８１〜８４等の使用者に対する共連れ入室の抑制に貢献できる。
【００５７】
なお、前述の実施形態に係る入退室管理システムは、識別情報を記憶する記憶媒体としての非接触式ＩＣカード８１〜８４等と、これら非接触式ＩＣカード８１〜８４等から認証コードを読み取る入室用カードリーダ１０および退室用カードリーダ２０とを備えるものであったが、本発明に係る入退室管理システムは非接触式ＩＣカード８１〜８４等、入室用カードリーダ１０および退室用カードリーダ２０の替わりに、別の種類の記憶媒体（磁気カード、接触式ＩＣカード、無線タグ等）、その記憶媒体から識別情報を読み取る入室用読取装置および退室用読取装置を備えるものであってもよい。
【００５８】
前述の実施形態に係る入退室管理システムにおいて、データセンタ５０は広域通信網４０を介して電気錠制御装置３０と通信を行うものであるが、構内通信網を介して電気錠制御装置３０と通信を行うものであってもよい。
【符号の説明】
【００５９】
１  入室制限区画
２  出入口
３  ドア
４  電気錠
１０  入室用カードリーダ（入室用読取装置）
１１  通信装置
１２  制御装置
１３  記憶装置
１４  アンテナコイル
１５  報知装置
２０  退室用カードリーダ（退室用読取装置）
２１  通信装置
２２  制御装置
２３  記憶装置
２４  アンテナコイル
２５  報知装置
３０  電気錠制御装置
３１  通信装置
３２  処理装置
３２ａ  電気錠制御処理部
３２ｂ  報知指令部
３２ｃ  中継処理部
４０  広域通信網
５０  データセンタ
５１  通信装置
５２  処理装置
５２ａ  入室履歴更新部
５２ｂ  共連れ入室回数計数部
５２ｃ  共連れ入室回数判定部
５２ｄ  失効処理部
５２ｅ  失効通知処理部
５３  記憶装置
５３ａ  カード使用者情報テーブル
６１〜６４，７１〜７４  情報端末
８１〜８４  非接触式ＩＣカード（記憶媒体）
【図１】
2015135600.tif 000003
【図２】
2015135600.tif 000004
【図３】
2015135600.tif 000005